(57)【要約】【課題】  ベッド装置の作動ボトムの選択が連動部材の装着位置の変更という簡単な構造及び操作で可能になると共に、非連動状態のときに連動部材をベッド装置に関連付けて保管できベッド取扱い性の向上に繋がるベッド装置の連動部材を提供する。【解決手段】  第２のボトムを作動させる場合は、前記連動部材の第１の連結部を前記第１の作動機構に連結し、かつ、第２の連結部を第２の作動機構に連結して、駆動部の作動力で第２のボトムを起伏可能にし、一方、第２のボトムを作動させない場合は、前記連動部材の第１の連結部を前記第１の作動機構から外した状態にし、かつ、第２の連結部を第２の作動機構から外した状態にし、かつ、前記取り付け部によって前記連動部材をフレームに取り付け可能にする。【選択図】図３
2014223185.tif 000002
【特許請求の範囲】
【請求項１】
ベッド装置のフレーム上に複数のボトムが設けられて、所定のボトムを起伏させるため作動機構を設けたベッド装置において、
複数のボトムのうちの第１のボトムを起伏させるための第１の作動機構と、
前記第１の作動機構に駆動力を供給する駆動部と、
前記複数のボトムのうちの第２のボトムを起伏させるための第２の作動機構と、
前記第２の作動機構に前記駆動部の駆動力を伝達する連動部材とを備え、
前記連動部材は、概略棒状であって一方の端部に前記第１の作動機構に連結するための第１の連結部、他方の端部に第２の作動機構に連結するための第２の連結部、及び、前記連動部材をベッド装置のフレームに取り付けるための取り付け部を設けており、
第２のボトムを作動させる場合は、前記連動部材の第１の連結部を前記第１の作動機構に連結し、かつ、第２の連結部を第２の作動機構に連結して、駆動部の作動力で第２のボトムを起伏可能にし、
一方、第２のボトムを作動させない場合は、前記連動部材の第１の連結部を前記第１の作動機構から外した状態にし、かつ、第２の連結部を第２の作動機構から外した状態にし、かつ、前記取り付け部によって前記連動部材をフレームに取り付け可能にすることを特徴とするベッド装置の連動部材。
【請求項２】
第２のボトムを作動させない場合は、前記連動部材の取り付け部を、第２の作動機構を介してフレームに取り付け、前記連動部材の第２の連結部をフレームに取り付け可能にしたことを特徴とする請求項１に記載のベッド装置の連動部材。
【発明の詳細な説明】
【技術分野】
【０００１】
本発明は、ベッド装置のフレーム上に複数のボトムが設けられて、所定のボトムを起伏させるため作動機構を設けたベッド装置において、一つの作動機構用のアクチュエータの駆動力を他の作動機構に伝達するためのベッド装置の連動部材に関する。
【背景技術】
【０００２】
ベッド装置、特に、医療用、介護用、家庭用のベッド装置として、ボトムが背ボトム、腰ボトム、膝ボトム、足ボトムを有し、背ボトムや膝ボトムを回動させて起伏可能とすることにより、ボトム上の使用者を、場合に応じて好適な姿勢で支持するように構成したものが幅広く使用されている。
【０００３】
このようなベッド装置には、背ボトムを回転駆動する駆動軸と膝ボトムを回転駆動する駆動軸の各々に押上腕と連動腕を設けると共に、それらの連動腕間に連動リンク（背膝連動幹等の連動部材）を連結して、背ボトムの回転駆動に連動して膝ボトムを回転駆動可能に構成が開示されている（例えば特許文献１参照）。
【０００４】
上記のようなベッド装置で、被介助者などの使用者の要請は様々であり、背上げ動作だけが必要で膝上げ動作が不要な場合がある。
これに対応するため、出願人は、上記特許文献１記載のように、背上げ、膝上げ可能なベッド装置において、連動リンクに切換金具（移動阻止部材）を設けて、切換レバーを介した切換金具を切り替えて、連動リンクの作動力を膝上げ機構に伝達・非伝達する機構を開発している。この機構は、前記連動リンクの背上げ及び膝上げの連動と、背上げ作動のみとの切換えを、切換レバーの操作によって可能にしたものである。
【０００５】
しかしながら、上記のような切換レバーを設ける構造は、連動リンク周辺の構造が複雑になると共に、構成部品も増えてコストの増大につながりやすいという課題がある。
【０００６】
ここで、上記連動リンクを取り外せば簡単に連動状態を非連動状態に切換えることができる。
ただ、取り外した前記連動リンクをベッド装置とは別の場所に保管した場合に以下のデメリットがある。特にベッド装置のレンタル事業者等のベッド事業者にとって、デメリットになりやすい。
【０００７】
まず、現地(客先）で保管してもらう場合に、連動部材の紛失や破損に繋がりやすいことが挙げられる。このように連動部材の紛失や破損は、メンテナンスに手間取りメンテナンス性を阻害する要因にもなりやすい。
【０００８】
また、前記連動リンクをベッド事業者の側で保管する場合に、管理項目が増えることで、保管場所や管理費等が増え、また、同一顧客からの連動設定が要請されたときに対応に手間取る等、物理的・金銭的・人的負担が増えてしまう。
【０００９】
以上のように、連動リンクをベッド装置の別の場所に保管すると、ベッドの取扱い性が低下するデメリットが生じる。
これに対して、連動リンク(連動部材）を別保管ではなく、連動部材をベッド装置内等にベッド装置に関連付けて保管（収納）できれば、上記のベッドの取扱い性が向上できるが、従来、適切な箇所に連動リンクを設置する構造は未提案であった。
【先行技術文献】
【特許文献】
【００１０】
【特許文献１】特開２００９−２４０５８３号公報
【発明の概要】
【発明が解決しようとする課題】
【００１１】
本発明は、斯かる実情に鑑み、ベッド装置の作動ボトムの選択が連動部材の装着位置の変更という簡単な構造及び操作で可能になると共に、非連動状態のときに連動部材をベッド装置に関連付けて保管できベッド取扱い性の向上に繋がるベッド装置の連動部材を提供するものである。
【課題を解決するための手段】
【００１２】
本発明は、ベッド装置のフレーム上に複数のボトムが設けられて、所定のボトムを起伏させるため作動機構を設けたベッド装置において、
複数のボトムのうちの第１のボトムを起伏させるための第１の作動機構と、
前記第１の作動機構に駆動力を供給する駆動部と、
前記複数のボトムのうちの第２のボトムを起伏させるための第２の作動機構と、
前記第２の作動機構に前記駆動部の駆動力を伝達する連動部材とを備え、
前記連動部材は、概略棒状であって一方の端部に前記第１の作動機構に連結するための第１の連結部、他方の端部に第２の作動機構に連結するための第２の連結部、及び、前記連動部材をベッド装置のフレームに取り付けるための取り付け部を設けており、
第２のボトムを作動させる場合は、前記連動部材の第１の連結部を前記第１の作動機構に連結し、かつ、第２の連結部を第２の作動機構に連結して、駆動部の作動力で第２のボトムを起伏可能にし、
一方、第２のボトムを作動させない場合は、前記連動部材の第１の連結部を前記第１の作動機構から外した状態にし、かつ、第２の連結部を第２の作動機構から外した状態にし、かつ、前記取り付け部によって前記連動部材をフレームに取り付け可能にすることを特徴とするベッド装置の連動部材である。
【００１３】
本発明においては、第２のボトムを作動させない場合は、前記連動部材の取り付け部を、第２の作動機構を介してフレームに取り付け、前記連動部材の第２の連結部をフレームに取り付けるようにしたことを特徴とすることが好適である。
【発明の効果】
【００１４】
本発明のベッド装置の連動部材によれば、第２のボトムを作動させる場合は、前記連動部材の第１の連結部を前記第１の作動機構に連結し、かつ、第２の連結部を第２の作動機構に連結して、駆動部の作動力で第２のボトムを起伏可能にし、一方、第２のボトムを作動させない場合は、前記連動部材の第１の連結部を前記第１の作動機構から外した状態にし、かつ、前記取り付け部によって前記連動部材をフレームに取り付け可能であることから、構成部品を増やすことなく、連動部材の取り付けで第１のボトム及び第２のボトムが連動可能とし、一方、取り外しで第１のボトムのみを起伏可能とする。
したがって、連動部材を用いることにより、少ない構成部品で容易にボトム作動の連動・非連動を切換えることができる。
【００１５】
また、連動部材を取り外して第１のボトムのみを起伏可能とする非連動状態で、ベッド装置に連動部材を取り付けることができるので、別の場所に連動部材を収納する必要がないことから、連動部材が邪魔にならず、それと共に、ベッド装置に関連付けた収納ができ、ベッド取扱い性が良い。
【図面の簡単な説明】
【００１６】
【図１】は本発明の第１実施形態に係るベッド装置の概略斜視図である。
【図２】ベッド装置の作動機構を説明するフレームの平面図である。
【図３】連動部材周辺のフレームの斜視説明図である。
【図４】連動部材の斜視説明図である。
【図５】第１の作動機構にから連動部材を取り外した状態に説明図である。
【図６】本発明の第２実施形態に係るベッド装置の連動部材が取けられたことを識別端子によって識別する状態の一説明図である。
【発明を実施するための形態】
【００１７】
以下、本発明の実施形態について、添付図面を参照して説明する。
【００１８】
図１は、本発明の実施形態に係るボトムが載置されるベッド装置の概略斜視図である。図１に第１実施形態と第２実施形態の構成を併せて示している。
図１に示すように、ベッド装置において、それに寝た状態の使用者の頭が向く頭側を符号「Ｈ」、該使用者の足が向く足側を符号「Ｆ」で示す。
【００１９】
図１に示すように、ベッド装置は、主に、頭側及び足側に端部が向く長さ方向が幅方向よりも長い概略ラダー状構造の上部フレーム１０と、該上部フレーム１０上に載置されるボトム１２とを備えている。
【００２０】
上部フレーム１０の頭側及び足側の各部の下面側に設けられた、頭側支持部１４Ｈと足側支持部１４Ｆによって当該上部フレーム１０をフロア面上に支持している。
【００２１】
前記頭側支持部１４Ｈ及び足側支持部１４Ｆの下端同士は、着脱可能な連結フレーム２０によって連結される（図２参照）。
【００２２】
前記ベッド装置は、そのフレーム上に複数のボトムが設けられて、所定のボトムを起伏させるため作動機構を設けたものである。
【００２３】
実施形態においては、上部フレーム１０には、後述する第１の作動機構２２で作動する、頭側の背上げ用のリンク２２ａと、第２の作動機構２４で作動する、中央部付近に膝上げ用の押上ローラのあるリンク２４ａが設けられている。またそれらを駆動する駆動部の一例としてアクチュエータ２６も設けられている。
【００２４】
また、図１に示すように、ボトム１２は、マットレス（概略を図１に符号「１８」で示す）を載せた状態で、使用者の荷重を支えるものである。ボトム１２は、使用者が頭と背を支える背ボトム１２ａ、腰を支える腰ボトム１２ｂ、腰から膝までを支える膝ボトム１２ｃ、膝から先の足を支える足ボトム１２ｄの各板状部からなる。
【００２５】
実施形態のベッド装置には、その上部に設けられたボトム１２が起伏可能である。つまり、背上げ用のリンクでボトム１２の背ボトム１２ａを背上げ作動可能であると共に、膝上げ用のリンクで膝ボトム１２ｃ及び足ボトム１２ｄを膝上げ作動や足上げ作動が可能に構成されている。
【００２６】
ここで、ボトム１２は、背ボトム１２ａ、腰ボトム１２ｂ、膝ボトム１２ｃ、足ボトム１２ｄのそれぞれが厚みのある樹脂製の板材からなる。なお、ボトムにおいてこの材質は一例であり、鉄板等の他の材質の板材をボトムに使用することができる。
【００２７】
図２は、ベッド装置の作動機構を説明するフレームの平面図、図３は、連動部材周辺のフレームの斜視説明図、図４は連動部材の斜視説明図である。
【００２８】
図２、図３に示すように、ベッド装置においては、前記の背ボトム１２ａ、腰ボトム１２ｂ、膝ボトム１２ｃ、足ボトム１２ｄ（複数のボトムの例）のうちの背ボトム１２ａ（第１のボトムの例）を起伏させるための第１の作動機構２２と、前記第１の作動機構に駆動力を供給するアクチュエータ２６と、前記複数のボトムのうちの膝ボトム１２ｃ（第２のボトムの例）を起伏させるための第２の作動機構２４と、前記第２の作動機構２４に第１の作動機構２２を経由して、前記アクチュエータ２６の駆動力を伝達する連動部材２８とを備えている。なお、上部フレーム１０の下部には、ベッド装置のアクチュエータ２６等の各部作動の制御をする制御回路が収容された制御ボックス３４が固定されており、この制御ボックス３４には、各スイッチやアクチュエータや電源等の伝達ケーブルがネジ込できるコネクタ端子を介して接続されている。
【００２９】
前記連動部材２８は、図３のように取り付けられており、図４に示すように、断面コの字の鋼材等の金属材からなる概略棒状のものである。該連動部材２８の頭側（一方）の端部に第１の連結部２８ａ、足側（他方）の端部に取り付け孔の第２の連結部２８ｂ、及び、中央部で足側寄りに取り付け孔の取り付け部２８ｃを設けている。
なお、背ボトム１２ａを膝ボトム１２ｃと連動させない非連動時には、ベッド装置に固定して保管するため、図４に示す第２の連結部２８ｂが、図５に示す第２の支持部３０にヒンジピンで取り付けられ、図４に示す取り付け部２８ｃが、図５に示す第２の作動機構２４のアーム２４ｃにヒンジピンで取り付けられる。そして、この非連動状態では、図４に示す第１の連結部２８ａは、図５に示すように、取り付けていない状態になる。
【００３０】
図２及び図３に示すように、第１の作動機構２２は、回転軸２２ｂに固定されてその回転によって背ボトム１２ａを起伏させる前記背上げ用のリンク２２ａ（背ボトム１２ａの固定用フレーム１２ａ１の下方に位置する）と、上部フレーム１０にその幅方向に沿うように設置された前記回転軸２２ｂと、アクチュエータ２６の進退ロッド２６ａの進退動端にヒンジピンで繋がる第１のアーム２２ｃと、該回転軸２２ｂの駆動で連動部材２８を長手方向に進退動させために、第１の連結部２８ａの孔にヒンジピン（符号２８ａ１で示す）の挿通によって接続する第２のアーム２２ｄとを有している。
【００３１】
なお、上部フレーム１０は前記回転軸２２ｂ等に平行に幅方向の構造体１０ａ、１０ｂが設けられたラダー構造である。一方の構造体１０ａには、アクチュエータ２６の尾端を搖動可能にヒンジピンによって支持する第１の支持部２６ｂが設けられている。また、他の構造体１０ｂには、後述するように、連動部材２８の不使用時に第２の連結部２８ｂをヒンジピンによって支持する第２の支持部３０が設けられている。
【００３２】
第２の作動機構２４は、膝ボトム１２ｃの下面側にローラが転接するリンク２４ａと、上部フレーム１０にその幅方向に沿うように設置された前記回転軸２４ｂと、該回転軸２４ｂを連動部材２８の進退動で回転させため、第２の連結部２８ｂにヒンジピン（符号２８ｂ１で示す）によって接続するアーム２４ｃとを有している。なお、各ヒンジピンは、割ピンによって抜け止めされるような構成としても良い。
【００３３】
実施形態のベッド装置では、膝ボトム１２ｃ（第２のボトム）を作動させる場合は、前記連動部材２８の第１の連結部２８ａを前記第１の作動機構２２の第２のアーム２２ｄに連結し、かつ、第２の連結部２８ｂを第２の作動機構２４のアーム２４ｃに連結して、アクチュエータ２６の作動力で膝ボトム１２ｃを起伏可能にするものである（図３参照）。
【００３４】
一方、図５に示すように、膝ボトム１２ｃを作動させない場合は、前記連動部材２８の第１の連結部２８ａを前記第１の作動機構２２（アクチュエータ２６からも縁が切れる）から外した状態にする。そして、第２の連結部２８ｂを第２の作動機構２４から外した状態にし、かつ、前記連動部材２８の孔の取り付け部２８ｃによって前記連動部材２８を上部フレーム１０に取り付け可能にするものである。
【００３５】
詳しくは、膝ボトム１２ｃを作動させない場合は、前記連動部材２８の取り付け部２８ｃの孔を、第２の作動機構２４のアーム２４ｃにヒンジピンで固定し、つまり第２の作動機構を介して上部フレーム１０に取り付ける。それと共に、前記連動部材２８の第２の連結部２８ｂを上部フレーム１０側に取り付ける。つまり、この連動部材２８の不使用時に、第２の連結部２８ｂをヒンジピンによって上部フレーム１０（他の構造体１０ｂ）の第２の支持部３０に固定する。
【００３６】
上記のように実施形態のベッド装置の連動部材２８によれば、連動部材２８の取り付けで背ボトム１２ａ及び膝ボトム１２ｃが連動可能とし、一方、取り外しで背ボトム１２ａのみが作動可能とする非連動にできるので、連動部材２８の取り付け／取外しによってボトムの作動状態を選択できる。
したがって、切換レバー等の設置の必要なく、連動部材２８を用いることだけで、少ない構成部品で容易に連動／非連動を切換えることできる。
【００３７】
また、連動部材を取り外して背ボトム１２ａのみを起伏可能とする非連動状態で、ベッド装置に連動部材２８を取り付けることができるので、その際に、ベッド装置以外の別の保管場所に連動部材を収納する必要がないことから、連動部材２８が邪魔になることがない。しかも、連動部材２８をベッド装置に関連付けた収納ができるので、ベッド取扱い性向上に繋がる。
【００３８】
第２実施形態に係るベッド装置を説明する。第２実施形態は、第１実施形態に加えて、頭側支持部１４Ｈ及び足側支持部１４Ｆの動作により、ベッド装置（上部フレーム１０）が傾動する場合について説明する。
【００３９】
第２実施形態のベッド装置は、上部フレーム１０の頭側及び足側の下部に、フロア面上に対して前記上部フレーム１０を支持する頭側支持部１４Ｈと足側支持部１４Ｆとが設けられている。頭側支持部１４Ｈと、足側支持部１４Ｆとには、それぞれ昇降駆動用の駆動部の一例としてアクチュエータが設けられている。
【００４０】
頭側支持部１４Ｈと、足側支持部１４Ｆとは、連動して昇降動作することにより、ベッド装置（上部フレーム１０）の高さを変更することができる。また、スイッチ等の操作入力に応じた各アクチュエータの駆動制御によって上部フレーム１０の頭側及び足側の各上下位置に差が付く傾動動作をさせることができる構成になっている。
【００４１】
また、当該ベッド装置では、連動部材２８が連動状態に装着したことを検出手段によって検出されたことを条件に、前記頭側支持部１４Ｈ及び足側支持部１４Ｆを傾動動作させることができる構成のものである。
【００４２】
具体的には、上記背上げ動作に連動して、頭側支持部１４Ｈが上昇し、足側支持部１４Ｆが下降することにより、足側が下になるように上部フレーム１０が傾動する。なお、ベッド装置の高さによっては頭側支持部１４Ｈが上昇するのみでも良いし、足側支持部１４Ｆが下降するのみでもよい。すなわち、足側が下になるように上部フレーム１０が傾動すれば良い。
【００４３】
そして、連動部材２８の装着を条件にして、前記頭側支持部１４Ｈ及び足側支持部１４Ｆの駆動制御による上部フレーム１０の傾動動作を行う。すなわち、背ボトム１２ａと膝ボトム１２ｃとが連動状態であることを条件として、上部フレーム１０が傾動する。
【００４４】
これは、前記傾動動作の際に背上げボトムが上がり、膝ボトムが連動していない状態で頭側の上がる傾動動作をすると利用者が足側にずれることを防止して、ボトム上で利用者の位置が安定するようにしたものである。
【００４５】
ここで、前記傾動操作を行う場合、背ボトム１２ａと、膝ボトム１２ｃとが連動状態であること、換言すれば、膝ボトム１２ｃが、駆動部の動作によって動作していることを検知するために、検知手段を利用する。
【００４６】
検知手段の一例を図６に示す。図６は、連動部材２８の装着を検出する状態の説明図である。
連動部材２８を連動状態に装着したことの検出手段としては種々のものが考えられるが、この第２実施形態では、識別プラグ３６を制御ボックス３４に接続することによって連動部材２８の装着を検出している。
【００４７】
図６に示すように、識別プラグ３６は、連動部材２８を連動状態に装着時に制御ボックス３４に接続可能な長さの紐状部材３８によって連動部材２８に繋がれている。
また、前記制御ボックス３４には、前記識別プラグ３６を装着するソケット３４ａが設けられており、その装着で前記連動部材２８が連動位置に装着されたことを検出する。
【００４８】
例えば、図５の状態の場合の場合、紐状部材３８の長さが足りず、識別プラグ３６を制御ボックス３４のソケット３４ａに接続することが出来ない状態となっている。
【００４９】
なお、上記識別プラグ３６及び紐状部材３８は、検出手段の一例であり、その他、近接スイッチ、赤外線センサ、ＩＣタグ等によって連動部材２８の装着を検出するといった他の検出手段を採用できる。
【００５０】
上記構成から、第２実施形態によれば、前記頭側支持部１４Ｈ及び足側支持部１４Ｆで足側に傾く傾動動作させるときに、背ボトム１２ａ及び膝ボトム１２ｃが連動して起き上がるので、利用者の腰部が背ボトム１２ａ及び膝ボトム１２ｃ間に挟まれて位置が安定することから上記の傾動動作でも上記利用者が足側に位置がずれることを防止できる。
【００５１】
なお、本発明は、前記実施形態の構成に限定されず本発明の範囲内で種々に変形実施できる。
例えば、第１のボトム、第２のボトムは上記の実施形態のように背ボトム、膝ボトムに限定されず、他のボトムによって実施できる。
【産業上の利用可能性】
【００５２】
本発明のベッド装置の連動部材は、在宅介護用ベッド装置、施設介護用ベッド装置、病院用ベッド装置等各種ベッド装置に利用することができる。
【符号の説明】
【００５３】
１０  上部フレーム
１２  ボトム
１２ａ  背ボトム
１２ｂ  腰ボトム
１２ｃ  膝ボトム
１２ｄ  足ボトム
２２  第１の作動機構
２４  第２の作動機構
２６  アクチュエータ
２８  連動部材
【図１】
2014223185.tif 000003
【図２】
2014223185.tif 000004
【図３】
2014223185.tif 000005
【図４】
2014223185.tif 000006
【図５】
2014223185.tif 000007
【図６】
2014223185.tif 000008